(57)【要約】      （修正有）【課題】使用時に加熱される可能性のある可動部を含めた支脚に使用者の足が触れた場合であっても不快な思いをすることがなく、更により安全性の高いコタツを提供する。【解決手段】天板２と、天板２を支持する１本のみの支脚３と、支脚３内に設けられ、天板２の高さを調整可能とする昇降装置４とから成るコタツ本体１Ａに、ヒーターＨを備えたコタツ１において、支脚３の表面が、その表面側が植毛加工された断熱材１１で被覆された構成とされている。【選択図】図１
0003210879.tif 000002
【実用新案登録請求の範囲】
【請求項１】
天板と、前記天板を支持する１本のみの支脚と、前記支脚内に設けられ、前記天板の高さを調整可能とする昇降装置とから成るコタツ本体に、ヒーターを備えたコタツにおいて、
前記支脚の表面が、断熱材で被覆されていることを特徴とするコタツ。
【請求項２】
前記断熱材は、その表面側が植毛加工されていることを特徴とする請求項１記載のコタツ。
【請求項３】
前記天板は、天板受を介して前記支脚に支持され、前記天板受に設けられた受部に、前記ヒーターが取り付けられており、前記天板受の表面が、断熱材で被覆されていることを特徴とする請求項１記載のコタツ。
【請求項４】
前記断熱材は、その表面側が植毛加工されていることを特徴とする請求項３記載のコタツ。
【請求項５】
前記支脚の下側には、支台が設けられていることを特徴とする請求項１記載のコタツ。
【請求項６】
前記天板の下方に、前記昇降装置の操作部が設けられていることを特徴とする請求項１のコタツ。
【請求項７】
前記昇降装置の前記操作部は、足踏ペダルであることを特徴とする請求項６記載のコタツ。
【考案の詳細な説明】
【技術分野】
【０００１】
本考案は、コタツの改良に関するものである。
【背景技術】
【０００２】
従来から、コタツに関する技術は、数多く提案され実施に供されている。例えば、特許文献１には、天板と、天板を支持する１本のみの支脚と、支脚内に設けられ、天板の高さを調整可能とする昇降装置とから成るコタツ本体に、ヒーターを備えたコタツが開示されている。
【０００３】
この特許文献１に開示されたコタツは、一般的な４本の支脚を有するコタツと違い、支脚が１本のみなので、人が、席に座ったり、席から離れたりするときに、支脚が邪魔にならず、スムーズに身動きをとることができる。そのうえ、支脚は昇降装置を備え、使用時の高さ調整が可能とされているため、所望の高さで使用することができ、極めて優れたものである。
【０００４】
しかしながら、特許文献１に開示された技術を、更に優れたものにできないかと模索し、更により安全性の高いコタツを提供したい、という要請があった。
【先行技術文献】
【特許文献】
【０００５】
【特許文献１】実用新案登録第３０８２５２４号公報
【考案の概要】
【考案が解決しようとする課題】
【０００６】
本考案は、このような要請に応えるためのものであって、その課題は、更により安全性の高いコタツを提供することにある。
【課題を解決するための手段】
【０００７】
前記課題を解決するために、請求項１記載の考案にあっては、天板と、前記天板を支持する１本のみの支脚と、前記支脚内に設けられ、前記天板の高さを調整可能とする昇降装置とから成るコタツ本体に、ヒーターを備えたコタツにおいて、前記支脚の表面が、断熱材で被覆されていることを特徴とする。
【０００８】
従って、前記支脚の表面が、断熱材で被覆されているので、前記支脚がヒーターの熱を長時間浴びても、高温化を防ぐことができる。そのうえで、一般的な４本の支脚を有するコタツと違い、前記支脚が１本のみなので、邪魔となるものが少なくなるし、前記支脚は前記昇降装置を備えているので、使用時の高さ調整が可能である。
【０００９】
請求項２記載の考案にあっては、前記断熱材は、その表面側が植毛加工されていることを特徴とする。
【００１０】
従って、前記断熱材の表面側の植毛加工により、前記支脚が前記ヒーターの熱を長時間浴びても、更により高温化を防ぐことができる。
【００１１】
請求項３記載の考案にあっては、前記天板は、天板受を介して前記支脚に支持され、前記天板受に設けられた受部に、前記ヒーターが取り付けられており、前記天板受の表面が、断熱材で被覆されていることを特徴とする。
【００１２】
従って、前記天板受の表面が、断熱材で被覆されているので、前記天板受がヒーターの熱を長時間浴びても、高温化を防ぐことができる。そのうえで、前記天板受の受部に、前記ヒーターが取り付けられるので、前記ヒーターの好適な取付箇所を確保することができる。
【００１３】
請求項４記載の考案にあっては、前記断熱材は、その表面側が植毛加工されていることを特徴とする。
【００１４】
従って、前記断熱材の表面側の植毛加工により、前記天板受が前記ヒーターの熱を長時間浴びても、更により高温化を防ぐことができる。
【００１５】
請求項５記載の考案にあっては、前記支脚の下側には、支台が設けられていることを特徴とする。
【００１６】
従って、設置する床面と分離された状態で、前記コタツ本体及び前記ヒーターを安定して支持することができる。
【００１７】
請求項６記載の考案にあっては、前記天板の下方に、前記昇降装置の操作部が設けられていることを特徴とする。
【００１８】
従って、使用時には、前記操作部は、前記天板の下方に隠れる状態となる。
【００１９】
請求項７記載の考案にあっては、前記昇降装置の前記操作部は、足踏ペダルであることを特徴とする。
【００２０】
従って、前記天板の高さ調整を、足踏ペダルの足踏による操作で行うことができる。
【考案の効果】
【００２１】
請求項１記載のコタツにあっては、前記支脚の表面が、断熱材で被覆されているので、前記支脚がヒーターの熱を長時間浴びても、高温化を防ぐことができる。その結果、使用時に、加熱される可能性のある前記支脚に使用者の足が触れた場合であっても不快な思いをすることがなく、更により安全性の高いコタツを提供することができる。
そのうえで、一般的な４本の支脚を有するコタツと違い、前記支脚が１本のみなので、邪魔となるものが少なくなるため、人が、席に座ったり、席から離れたりするときに、支脚が邪魔にならず、スムーズに身動きをとることができる。
また、前記支脚は前記昇降装置を備えているので、使用時の高さ調整が可能であるため、所望の高さで使用することができる。
【００２２】
請求項２記載のコタツにあっては、前記断熱材の表面側の植毛加工により、前記支脚が前記ヒーターの熱を長時間浴びても、更により高温化を防ぐことができる。その結果、使用時に、加熱される可能性のある前記支脚に使用者の足が触れた場合であっても不快な思いをすることがなく、更により一層安全性を高めることができる。
【００２３】
請求項３記載のコタツにあっては、前記天板受の表面が、断熱材で被覆されているので、前記天板受がヒーターの熱を長時間浴びても、高温化を防ぐことができる。その結果、使用時に、加熱される可能性のある前記天板受に使用者の手や足が触れた場合であっても不快な思いをすることがなく、更により安全性を高めることができる。また、前記天板受の受部に、前記ヒーターが取り付けられるので、前記ヒーターの好適な取付箇所を確保することができるため、狭いコタツ本体の下側空間を有効利用して前記ヒーターを取り付けることができる。
【００２４】
請求項４記載のコタツにあっては、前記断熱材の表面側の植毛加工により、前記天板受が前記ヒーターの熱を長時間浴びても、更により高温化を防ぐことができるため、使用時に、加熱される可能性のある前記天板受に使用者の手や足が触れた場合であっても不快な思いをすることがなく、更により一層安全性を高めることができる。
【００２５】
請求項５記載のコタツにあっては、設置する床面と分離された状態で、前記コタツ本体及び前記ヒーターを安定して支持することができるため、所望の場所に移動して用いることができる。
【００２６】
請求項６記載のコタツにあっては、使用時には、前記操作部は、前記天板の下方に隠れる状態となるため、外観品質を向上させることができる。
【００２７】
請求項７記載のコタツにあっては、前記天板の高さ調整を、足踏ペダルの足踏による操作で行うことができるため、煩雑さがない。
【図面の簡単な説明】
【００２８】
【図１】図１は、本考案に係る実施の形態のコタツの概略構成を示した正面図である。
【図２】図２は、本考案に係る実施の形態のコタツの概略構成を示した側面図である。
【図３】図３は、本考案に係る実施の形態のコタツの概略構成を示した底面図である。
【考案を実施するための形態】
【００２９】
以下、本考案を実施するための形態を、図面に基づいて説明する。
【００３０】
先ず、実施の形態の構成について説明する。
図１〜図３は、本考案に係る実施の形態のコタツ１の概略構成を示している。
【００３１】
この実施の形態のコタツ１は、図１〜図３に示したように、天板２と、天板２を支持する１本のみの支脚３と、支脚３内に設けられ、天板２の高さを調整可能とする昇降装置４とから成るコタツ本体１Ａに、ヒーターＨを備えた構成とされている。
【００３２】
ここで、天板２は、正方形の板状であり、使用者の手などを傷付けないように縁部がＲ加工されている。
【００３３】
また、１本のみの支脚３は、断面角形状に形成され、その上端が、上面中央部にヒーターＨを配設するための凹状の受部としての受皿部５ａを有する断面倒立台形状の天板受５を介して、天板２の裏面中心部に固定され、天板２を略水平に支持している。具体的には、天板受５は、その水平方向に突設した天板支持板部５ｂ，５ｂをボルト９，・・・をナット１０，・・・にそれぞれ螺合して天板２を固定している。
【００３４】
さらに、支脚３の下端には、天板２と略平行となるように、天板２よりも小さい正方形の板状である支台６が、固定して設けられている。
【００３５】
また、昇降装置４は、支脚３内に設けられたものであり、支脚３は上下方向へスライド可能な可動部３ａを有しており、その可動部３ａを上下動させるものである。
【００３６】
より具体的には、昇降装置４は、内部に高圧ガスや油などの流体が封入されているとともに、摺動自在なピストンを備えたシリンダ７を使用したものであって、その内部構造の詳細な図示は省略するが、ピストンによって上下に仕切られた２室の開通口を弁によって開閉自在に構成し、支脚３の可動部３ａを接続した構造となっている。
そして、支脚３の根元の支台６の上側には、昇降装置４の操作部としての足踏ペダル８が設けられており、この足踏ペダル８を足で踏む操作によって弁が開き、足踏ペダル８から足を離すと内蔵したスプリングの力で弁が閉じる仕組みとなっている。
すなわち、この昇降装置４は、弁が閉じているときはピストンで仕切られたシリンダ７内の上下２室の圧力が平衡状態にあってピストンは停止した状態を維持するが、弁を開くと内部の高圧ガスや油などの流体が一方の室から他方の室へ開通口を通って流動可能となるので、ピストンがシリンダ７内を摺動可能となって支脚３の可動部３ａが上下動できるようになっている無段階方式のものである。
【００３７】
さらに、ヒーターＨは、上記したように、天板受５の凹状の受部としての受皿部５ａに配設されている。
【００３８】
そして、本考案に係る実施の形態のコタツ１の最大の特徴としては、上記した支脚３は、可動部２ａを含め、その表面が、表面側が植毛加工された断熱材１１で被覆されていることである。
【００３９】
また、天板受５の表面も、表面側が植毛加工された断熱材１２で被覆されている。
【００４０】
なお、この実施の形態のコタツ１は、図１に示したように、椅子１３，・・・を用い、天板２の上側に布団１４を敷き、その上側に上板１５を載せ、布団１４を挟み込んで使用するタイプのものである。
【００４１】
次に、実施の形態の作用効果について説明する。
【００４２】
この実施の形態のコタツ１によれば、図１〜図３に示したように、支脚３の表面が、断熱材１１で被覆されているので、可動部３ａを含めた支脚３がヒーターＨの熱を長時間浴びても、高温化を防ぐことができる。その結果、使用時に、加熱される可能性のある可動部３ａを含めた支脚３に使用者の足が触れた場合であっても不快な思いをすることがなく、更により安全性の高いコタツを提供することができる。
そのうえで、一般的な４本の支脚を有するコタツと違い、支脚３が１本のみなので、邪魔となるものが少なくなるため、人が、席に座ったり、席から離れたりするときに、支脚３が邪魔にならず、スムーズに身動きをとることができる。
また、支脚３は昇降装置４を備えているので、使用時の高さ調整が可能であるため、所望の高さで使用することができる。
【００４３】
また、断熱材１１の表面側の植毛加工により、可動部３ａを含めた支脚３がヒーターＨの熱を長時間浴びても、更により高温化を防ぐことができる。その結果、使用時に、加熱される可能性のある可動部３ａを含めた支脚３に使用者の足が触れた場合であっても不快な思いをすることが更になく、更により一層安全性を高めることができる。
【００４４】
さらに、天板受５の表面が、断熱材１２で被覆されているので、天板受５がヒーターＨの熱を長時間浴びても、高温化を防ぐことができる。その結果、使用時に、加熱される可能性のある天板受５に使用者の手や足が触れた場合であっても不快な思いをすることがなく、更により安全性を高めることができる。また、天板受５の受部としての受皿部５ａに、ヒーターＨが取り付けられるので、ヒーターＨの好適な取付箇所を確保することができるため、狭いコタツ本体１Ａの下側空間を有効利用してヒーターＨを取り付けることができる。
【００４５】
ここで、断熱材１２の表面側の植毛加工により、天板受５がヒーターＨの熱を長時間浴びても、更により高温化を防ぐことができるため、使用時に、加熱される可能性のある天板受５に使用者の手や足が触れた場合であっても不快な思いをすることが更になく、更により一層安全性を高めることができる。
【００４６】
また、支脚３の下端に支台６があるので、設置する床面と分離された状態で、コタツ本体１Ａ及びヒーターＨを安定して支持することができるため、コタツ１を所望の場所に移動して用いることができる。
【００４７】
さらに、使用時には、操作部としての足踏ペダル８は、天板２の下方に隠れる状態となるため、外観品質を向上させることができる。
【００４８】
また、天板２の高さ調整を、操作部としての足踏ペダル８の足踏による操作で行うことができるため、煩雑さがない。
【００４９】
以上、本考案を実施するための形態を図面に基づいて詳述してきたが、具体的な構成は、この実施の形態に限らず、本考案の要旨を逸脱しない程度の設計的変更は、本考案に含まれる。
【００５０】
例えば、上記した実施の形態では、コタツ１は、椅子１３，・・・を用いて使用するタイプのものであるが、これに限定されず、支脚３を短くして、椅子１３，・・・を用いないで使用するタイプのものとして実施してもよい。
【００５１】
また、上記した実施の形態では、支脚３に、断面角形状に形成したものを用いたが、これに限定されず、断面円形状に形成したものなどを用いて実施してもよい。
【００５２】
さらに、上記した実施の形態では、天板２及び支台６に、正方形の板状のものを用いたが、これに限定されず、円形の板状のものなどを用いて実施してもよい。また、上記した実施の形態では、支脚３の下端に支台６を設けたが、これに限定されず、例えば、支台６を設けず、支脚３の下端を床に埋め込み固定するなどして実施してもよい。
【００５３】
また、上記した実施の形態では、昇降装置４に、内部に高圧ガスや油などの流体が封入されたシリンダ７を使用したタイプのものを用いたが、これに限定されず、ラックやボールネジなどを用いた他のタイプのものを用いて実施してもよい。また、昇降装置４に無段階方式のものを用いたが、これに限定されず、有段階方式のものを用いて実施してもよい。
【００５４】
さらに、上記した実施の形態では、昇降装置４の操作部として、足踏ペダル８を用いたが、これに限定されず、例えば、手動式のハンドルなどを用いて実施してもよい。
【産業上の利用可能性】
【００５５】
本考案に係るコタツは、家庭用に使用することは勿論、業務用にも使用することができ、産業上利用可能性を有している。
【符号の説明】
【００５６】
１    コタツ
１Ａ  コタツ本体
２    天板
３    支脚
３ａ  可動部
４    昇降装置
５    天板受
５ａ  受皿部（受部）
５ｂ  天板支持板部
６    支台
７    シリンダ
８    足踏ペダル（操作部）
９    ボルト
１０  ナット
１１  断熱材
１２  断熱材
１３  椅子
１４  布団
１５  上板
Ｈ    ヒーター
【図１】
0003210879.tif 000003
【図２】
0003210879.tif 000004
【図３】
0003210879.tif 000005